(57)【特許請求の範囲】
【請求項１】
メイクアップを補助するため、
メイクアップすべき及び（または）処理される範囲で、光の相互作用による局部的な現象を測定する測定ユニット（２）と、
種々の化粧品及び（または）ケア製品の双方向反射分布関数（ＢＲＤＦ）に関するデータベース（１４）と、
製品を選定できる選択手段（１０）と、
実際にメイクアップされる範囲または製品により処理される範囲において有効な双方向反射分布関数を、予め得られた測定及び、前記データベース（１４）から得られた情報をもとに、選定されたメイクアップ製品の双方向反射分布関数に関して、計算する計算手段（１３）と、
予め計算された双方向反射分布関数の結果を用いて、実際に処理されるかまたはメイクアップされる範囲を表示するディスプレイ手段（２０、４０）と、
を備え、
双方向反射分布関数が、等式、
fr(θi,φi,θr,λ)≡Lr(θr,φr,λ)／[Li(θi,φi,λ)・cosθi・dωi]
によって確定され、ここで、
Lrは表面の要素によって戻されるエネルギールミネセンス（または放射輝度）であり、Liは表面要素に関する入射エネルギールミネセンス（または放射輝度）であことを特徴とするメイクアップ補助装置。
【請求項２】
メイクアップすべき及び（または）処理される範囲の双方向反射分布関数パラメータを、実行される測定をもとに、計算されるように構成された計算手段（１２）を具備することを特徴とする請求項１に記載のメイクアップ補助装置。
【請求項３】
双方向反射分布関数が、複数のパラメータによって計算され、それらのパラメータが、吸収率μａ（λ）、散乱係数μｓ（λ）、散乱異方性係数ｇ、屈折率ｎ（λ）、粗さ係数ｍであり、λは光の波長であることを特徴とする請求項２に記載の装置。
【請求項４】
肌の双方向反射分布関数のパラメータμａ（λ）及びμｓ（λ）は、変数として表皮のメラニン含有量、表皮の血液含有量、及び酸化の度合いを使用するモデルをもとに、計算されることを特徴とする請求項３に記載の装置。
【請求項５】
化粧品を顔につける方法に関する情報を、ユーザーが入力できるような制御部材（３０）を具備することを特徴とする請求項１〜４のいずれか一項に記載のメイクアップ補助装置。
【請求項６】
制御部材（３０）が、フォースフィードバックマウスを備えることを特徴とする請求項５に記載の装置。
【請求項７】
ユーザーによって与えられるデータをもとに、予定基準を関数としてメイクアップ製品を選定する、専門システム（１６）を具備することを特徴とする請求項１〜６のいずれか一項に記載のメイクアップ補助装置。
【請求項８】
ディスプレイ（２０、４０）が、立体ディスプレイを備えることを特徴とする請求項１〜７のいずれか一項に記載の装置。
【請求項９】
測定ユニットは球面体（３）を備えており、球面体はその内部にある対象物を照らす手段と、対象物の局所的なデータを収得することができるように配置されたイメージ収得手段とを具備することを特徴とする請求項１〜８に記載のメイクアップ補助手段。
【請求項１０】
測定ユニットが、顔の形状を収得する装置を具備し、その装置は、以下のような種類の装置、すなわち側面の概要と正面の概要をシュミレートして収得するために作動する、立体ビュー装置と、レーザートライアングル装置と、干渉縞投影装置であることを特徴とする請求項１〜９のいずれか一項に記載のメイクアップ補助装置。
【請求項１１】
測定ユニットが、顔のスペクトル反射率を収得する装置を備えており、その装置は顔の色を一組の点において、任意の照明角度と、任意の見る角度で決定することができることを特徴とする請求項１〜１０のいずれか一項に記載のメイクアップ補助装置。
【請求項１２】
化粧品及び（または）ケア製品の双方向反射分布関数に関するデータベース（１４）が、ファウンデーション、リップスティック、ほおブラシ、アイライナー、マスカラ、マニキュア液、毛染め剤、スキンカラー製品、半永久的なメイクアップ製品（例えば刺青用）であることを特徴とする請求項１〜１１のいずれか一項に記載のメイクアップ補助装置。
【請求項１３】
前記データベース（１４）が、異なる厚さで塗る製品の双方向反射分布関数に関する情報を含むことを特徴とする請求項１２に記載の装置。
【請求項１４】
測定ユニットが、顔の部分を定義することができる形状認識手段に関連することを特徴とする請求項１〜１３のいずれか一項に記載のメイクアップ補助装置。
【請求項１５】
形状認識手段が、肌のしわ或いはひだを検知するために配置されることを特徴とする請求項１４に記載のメイクアップ補助装置。
【請求項１６】
請求項１〜１５のいずれかで定義されたメイクアップ補助装置と、メイクアップ補助装置（１）によって選定された予定の双方向反射分布関数により、製品を分配させることができる装置（６０）とから成ることを特徴とするシステム。
【請求項１７】
化粧品及び（または）ケア製品の利用をシュミレートできる方法が、
既知の光の状態及び見る状態に関する対象物の範囲との、光の相互作用の局所的な現象を測定し、
任意の光の状態及び、見る状態を関数として、前記範囲の双方向反射分布関数を計算できる、パラメータを計算するために作動する測定法を使用して、
化粧品及び（または）ケア製品を選択して、双方向反射分布関数を計算するのに利用するパラメータを知り、
前記製品を付けた後、対象物の前記範囲上に生じる双方向反射分布関数を計算し、
前記実際にメイクアップされる範囲且つ（または）処理される範囲を、任意の光の状態及び見る状態に関して、予め計算して得られた双方向反射分布関数の結果をもとに、表示する、
ステップから成ることを特徴とする方法。
【請求項１８】
双方向反射分布関数が、複数のパラメータによって計算され、それらのパラメータが、吸収率μａ（λ）、散乱係数μｓ（λ）、散乱異方性係数ｇ、屈折率ｎ（λ）、粗さ係数ｍであることを特徴とする請求項１７に記載の方法。
【請求項１９】
光の状態を選択し、その下で実際にメイクアップされる範囲及び（または）処理される範囲を、表示するステップを含むことを特徴とする請求項１７または１８に記載の方法。
【発明の詳細な説明】
【０００１】
【発明が属する技術分野】
本発明は、メイクアップを補助する装置に関するものである。
【０００２】
【従来の技術】
装置は特に、国際特許出願WO 96/21201により知られており、面の２Ｄ画像を取り込む取り込みユニットと、面でメイクアップする実際の適用例を表示する画像処理手段とから成る。
【０００３】
日経ウィークリーマガジンの1998年12月21日号が、メイクアップ顔を３Ｄ画像として表示することができる作業を開示している。
【０００４】
【発明が解決しようとする課題】
既知の装置は、数ある中で、メイクアップした対象物が動き回る明るさの状態を考慮することはできていない。
【０００５】
特に人は屋内の人工光の下で、メイクアップすることができるが、屋外へ移るとメイクアップの印象が異なる。
【０００６】
結局、既知の装置では、少しだけマスキングする透明なまたは幾分か光が散乱するメイクアップのアプリケーションをシュミレーションするには不充分であり、それらの装置は、肌と化粧品との間における光の相互作用による物質的現象を考慮してはいない。
【０００７】
従って、著しいまたは光沢のあるメイクアップのアプリケーションをシュミレートするには、不充分である。
【０００８】
メイクアップした人が歩き回る間、周囲の光を考慮して、メイクアップのアプリケーションをシュミレートする必要性があり、それによって人をメイクアップできるかまたは、特定の光の状態を関数としてメイクアップを選定できる。
【０００９】
【課題を解決するための手段】
本発明の目的は、メイクアップ時の補助として、様々な光の状態に関し、例えば顔をメイクアップするアプリケーションを、現実的な方法で簡単にシュミレートする装置を提供することである。
【００１０】
【本発明の実施の形態】
本発明による新規のメイクアップ補助装置は、
メイクアップすべき及び（または）処理される範囲で、光の相互作用による局部的な現象を測定する測定ユニットと、
種々の化粧品及び（または）ケア製品のＢＲＤＦ（双方向反射分布関数、Bidirectional Reflectance Distribution Function）に関するデータベースと、製品を選定できる選択手段と、
実際にメイクアップされる範囲または製品により処理される範囲において有効なＢＲＤＦを、以前に得られた測定及び、前記データベースから得られた情報をもとに、選定されたメイクアップ製品のＢＲＤＦに関して、計算する計算手段と、予め計算されたＢＲＤＦの結果を用いて、実際に処理されるかまたはメイクアップされる範  囲を表示するディスプレイ手段と、
を備える。
【００１１】
ＢＲＤＦは、合成イメージの専門家にとってよく知られているが、双方向反射分布関数を表し、それは使用する光源に関する様々な幾何学的且つ、物理的パラメータ、照らされる目標物の特性と、照度及び見る状態に依存するものである。
【００１２】
この関数は、特に光の入射角、見る角度、照らされる肌の特性及びその表面の様子を考慮することができる。
【００１３】
本発明によって、化粧品及び（または）ケア製品の実際のアプリケーションを、顔上の一点の色が、光源の幾何学的な広がりと、照らされる表面上の光の入射方向と、前記光のスペクトル特徴と、照らされる表面の特性と、見る所からの方向とに依存しているということを考慮して、シュミレートできる。
【００１４】
メイクアップ時の補助用の本発明による装置は、メイクアップ及び（及び）または使用されるケア製品の角度色彩的な観点、特にその反射率と、その透明度と、見る方向の関数として変化するそのマスキングパワーを考慮することができる。
【００１５】
また本発明は、メイクアップを介する光の散乱を考慮することができる。
【００１６】
従って、本発明は特に使用されるメイクアップに関し特定の光る学的効果、例えばそのつや消し、光沢または、光彩をシュミレートすることができる。
【００１７】
本発明の好ましい実施形態では、装置がメイクアップすべき及び（または）処理される範囲のＢＲＤＦパラメータを、実行される測定をもとに、計算されるように構成された計算手段を具備する。
【００１８】
ゆえに、相対的に制限された多数の測定点が、メイクアップされるかまたは処理される範囲内で充分であり得、、ＢＲＤＦパラメータは、実行される測定をもとに、計算手段によって決定される。
【００１９】
好適に、ＢＲＤＦを計算するために使用されるパラメータは、吸収率μａ（λ）、散乱係数μｓ（λ）、散乱異方性係数ｇ（diffusion anisotropy coefficient）、屈折率ｎ（λ）、粗さ係数ｍであり、λは光の波長である。
【００２０】
有利には、肌のパラメータμａ（λ）及びμｓ（λ）は、変数として表皮のメラニン含有量、表皮の血液含有量、及び酸化の度合いを使用するモデルをもとに、計算される。
【００２１】
特別な実施形態において、メイクアップ補助装置は、ユーザーを化粧品を顔につける方法に関する情報を、ユーザーが入力できるような制御部材を具備する。
【００２２】
制御部材は、フォースフィードバックマウス（force feedback mouse）を備えてもよい。
【００２３】
従って、ユーザーは制御部材に、より大きな或いはより小さなフォースを加えることによって、メイクアップの輝度を決定することができる。
【００２４】
これによって、ペンシルによるメイクアップをシュミレートすることができ、それは例えばペンシルが肌に対してより大きな力或いは小さな力で押されると、より大きな或いは小さな輝度の着色マークを残すことであり、輝度は、メイクアップの濃度及び厚さの大きさ或いは小ささに対応する。
【００２５】
有利には、メイクアップ補助装置は、ユーザーによって与えられるデータをもとに、メイクアップの色を例えばユーザーの髪の色または目の色にマッチさせるため、予定基準を関数としてメイクアップ製品を選定する、専門システムを具備する。
【００２６】
この主題では、例えば欧州特許出願EP-A-0 646 339を参照することができる。
【００２７】
有利には、ディスプレイが立体ディスプレイを備えて、より現実的なシュミレーションを行う。
【００２８】
特別な実施形態において、測定ユニットは球面体を備えており、球面体はその内部にある対象物を照らす手段と、対象物の局所的なデータを収得し且つ、処理することができるように配置されるイメージを収得する手段とを具備する。
【００２９】
測定ユニットが、顔の形状を収得する装置を具備し得、その装置は、以下のような種類の装置、すなわち側面の概要と正面の概要をシュミレートして収得するために作動する、立体ビュー装置、レーザートライアングル装置、干渉縞投影装置（fringe projection apparatus）である。
【００３０】
有利には、測定ユニットが、顔のスペクトル反射率を収得する装置を備えており、その装置は顔の色を一組の点において、任意の照明角度と、任意の見る角度で決定することができる。
【００３１】
測定ユニットが、ディスクロミアス（dyschromias）例えばアクネ皮脂腺炎症または色素形成領域を検知することができる。
【００３２】
有利には、化粧品及び（または）ケア製品のＢＲＤＦに関するデータベースは、以下のリストから選定された製品のＢＲＤＦに関するデータベースから成り、それはファウンデーション、リップスティック、ほおブラシ、アイライナー、マスカラ、マニキュア液、毛染め剤、スキンカラー製品、半永久的なメイクアップ製品（例えば刺青用）である。
【００３３】
有利には、前記データベースが、ぬる厚さの異なる製品のＢＲＤＦに関する情報を含む。
【００３４】
有利には、測定ユニットが、顔の部分を定義することができる形状認識手段に関する。
【００３５】
好ましくは、形状認識手段は、肌のしわ或いはひだを検知するために配置される。
【００３６】
ゆえに、顔上にあるしわは、有利には例えばメイクアップがしわによって形成されるひだを増やす傾向があるということを表すため、起因するＢＲＤＦを計算する時に考慮される。
【００３７】
また本発明は、上記で定義されたようなメイクアップ補助装置と、メイクアップ補助装置によって選定された予定のＢＲＤＦを有する、メイクアップを分配することができる装置とから成る組立体を提供する。
【００３８】
その様な組立体は、有利には化粧品が販売されている場所にある。
【００３９】
また本発明は、化粧品及び（または）ケア製品の利用をシュミレートできる方法を備え、その方法は、次のように、
既知の光の状態及び見る状態に関する対象物の範囲との、光の相互作用の局所的な現象を測定し、
パラメータを計算するため動作する測定法を使用して、任意の光の状態及び、見る状態の関数として、前記範囲のＢＲＤＦを計算し、
化粧品及び（または）ケア製品を選択して、ＢＲＤＦを計算するのに利用するパラメータを知り、
前記製品を付けた後、対象物の前記範囲上に生じるＢＲＤＦを計算し、
前記実際にメイクアップされる範囲且つ（または）処理される範囲を、任意の光の状態及び見る状態に関して、予め計算して得られたＢＲＤＦをもとに、表示する、
ステップから成る。
【００４０】
特定の実施においてＢＲＤＦを計算するためのパラメータは、吸収率μａ（λ）、散乱係数μｓ（λ）、散乱異方性係数ｇ、屈折率ｎ（λ）、粗さ係数ｍである。
【００４１】
好適に本発明は、光の状態を選択して、その下で実際にメイクアップされる範囲及び（または）処理される範囲を、表示するステップを含む。
【００４２】
従って、ユーザーは様々な光の状態の下で、メイクアップの印象を映像化することができ、且つ任意のイベントに最適なメイクアップを選ぶことができる。
【００４３】
【実施例】
本発明による別の特徴及び利点は、限定のない一例である本発明による実施例に関する以下の詳細な説明を読み、添付図面を参照すると理解されるであろう。
【００４４】
図３は、対象物の対象物表面上の光入射角である立体角ｄωｉを示しており、入射光の方向は、それは表面Ｓに関するＸＹＺ符号の直角フレームにより、通常の方法、すなわちＺ軸に対し角度θｉ、Ｘ軸に対し角度φｉ、表面ＳがＸＹ平面で画定されており
【００４５】
回帰光の方向は、Ｚ軸に対し角度θｒ、ＸＹ平面におけるＸ軸に対しφｒに画定されている。
【００４６】
本発明による手段で、ＢＲＤＦが以下の等式によって画定される。
ｆｒ(θｉ,φｉ,θｒ,λ）≡Ｌr(θｒ,φｒ,λ)／[Ｌｒ(θｉ,φｉ,λ)・cosθｉ・dωｉ]
ここでＬｒは、表面の要素により回帰するエネルギー輝度（または放射輝度）であり、Ｌｉは表面要素に関する入射エネルギー輝度（または放射輝度）である。
【００４７】
ＢＲＤＦの計算時に使用されるパラメータに関しては、更に詳しく、有利にはyhe Journal Computer Graphics、25(A)、1991年8月号の“Comprehensive physical model for light reflection”というタイトルの文献と、プレンストン大学のコンピューター学部による出版の、ＢＲＤＦをモンテカルロ法を利用することによって計算することができる方法を記載した“Reflection from layered surface due to subsurface scattering”というタイトルの文献と、ACM Transaction on Graphics 1(1982)、7-24に掲載された、CookとTorranceによる“A reflection model for Computer graphics”というタイトルの文献を参照できる。
【００４８】
本発明による一実施例において、ＢＲＤＦが上記文献に記載されたCook and Torrance法に関するモンテカルロ法によってモデル化される。
【００４９】
モンテカルロ法の代わりに、また放射伝達等式に関する追加及び代替方法を使用可能である。
【００５０】
単純化する目的で、好ましくは光はどの特別な偏光もせず、対象物のＢＲＤＦは角度φｉに依存すると仮定する。
【００５１】
モンテカルロ法は、波長λの関数として、問題となる対象物（例えば肌）の範囲の吸収を示すパラメータμａ（λ）と、Henyeyにより決定された散乱異方性因数ｇと、Greenstein関数を用いており、それらは本技術に精通した人にとって公知である。
【００５２】
Cook and Torrance法は、波長λでの屈折率ｎ（λ）及び、粗さ係数ｍに関するパラメータを用いるようになる。
【００５３】
従って、本発明による好ましい実施例では、ＢＲＤＦが任意の角度θｉ、θｒ、φｒ及び、波長λに関して、上記五つのパラメータを用いて、計算される。
【００５４】
これらのパラメータは、対象物上で行われる測定により計算される。
【００５５】
更に詳しくは、局部的な測定は、ＢＲＤＦ値を、既知の光の状態に関し且つ、任意の見る方向において、別の既知の波長λに関して、対象物上における複数の点で、決定することができるように、行われる。
【００５６】
その後、ＢＲＤＦの各パラメータすなわちｍ、μａ（λ）、μｓ（λ)、ｇ、ｎ（λ)に与えるべき値を、計算されたＢＲＤＦ値を、測定によって判明した値と一致させようとする。
【００５７】
記載された実施例において、パラメータμａ（λ）及びμｓ（λ）を計算するため、肌が、異なった光学的特性を有する三つの多重層、すなわち層、表皮そして皮膚から成っていると仮定する。
【００５８】
このモデルでは、層による散乱効果は無視される。
【００５９】
粗さ係数ｍは、他で計算され、光の反射、透過及び吸収に関し、層の間接的な入射角を考慮するのに利用する。
【００６０】
表皮の色は、そのメラニン含有量に依存しており、その含有量は一方の対象物から別の対象物へ変化させることができると仮定する。
【００６１】
また、皮膚の色がその血液含有量及びその酸化の程度に依存すると仮定する。
【００６２】
メラニン含有量、血液含有量、及び酸化の程度を特定する変数に与えられる値が、計算によって得られたスペクトル反射率を、測定スペクトル反射率と一致させるために、計算される。
【００６３】
一旦メラニン含有量、血液含有量及び参加レベルが、計算によって決定されると、パラメータμａ（λ）及びμｓ（λ）が、そこから表皮及び皮膚に関し、資料にあるデータを使用することによって、導き出される。
【００６４】
この主題では有利に、Oregon Medical Laser Center News、1998年1月号に掲載された文献“Skin optics”Steven L. Jacques著を参照することができる。
【００６５】
メラニン含有量、血液含有量及び、酸化の程度を決定するする計算を行うため、Newton Raphson法、シンプレックス法または、シュミレートアニール法（the simulated annealing technique）のような計算法を使用することができる。
【００６６】
粗さ係数ｍを決定するため、見る角度を関数として、入射平面において反射される光の輝度を、照らされる表面と並行に偏光される入射光に関して、及びその表面に対して直角に偏光される入射光に関して、測定することができる。
【００６７】
相違が生じると、粗さ係数ｍを計算するために使用可能な情報が、得られる。
【００６８】
パラメータｍ、μａ（λ）、μｓ（λ)、ｇ、ｎ（λ)及びｍが決定されると、ＢＲＤＦを、変数θｉ、θｒ、φｒ及び、波長λを関数として、シュミレーションを目的に計算することができる。
【００６９】
図１は、どのように本発明による制限のない一例から成るメイクアップ補助装置であり、どのように実施できるかを示している。
【００７０】
この装置１は、光とメイクアップされる範囲、例えば顔あるいはその一部分との間の相互作用による局部的な現象を測定する、測定ユニット２を備えている。
【００７１】
更に詳しくは、図２に示されたように、測定ユニット２が球面体３を備え、その球面体の内表面は黒色であり、顔の局部的な光学データまたは、顔の一部分が測定される間、そこに人が位置する。
【００７２】
二つのカメラ４が、球面体に配置した対象物を、球面体に形成された色フィルター５及び球面体に形成された開口部６を介して、立体的に同時に見るために配置されている。二つのカメラの見る方向は、互いに角度を成して、例えば一方が正面を取るように、他方が側面を取るようにするかまたは、個々に示されような四分の一の面を取るようにする。
【００７３】
二つのカメラ４は、特に、顔の形状に関する情報を得るために作動する。
【００７４】
照明手段は、様々に異なった任意の方向の入射角で、対象物を照らす。
【００７５】
記載の実施例において、照明手段は、複数の光ファイバー７を備えている。
【００７６】
一例として、色フィルター５がディスクに配置されおり、ディスクを回転させることによって、各カメラの対物レンズの前方に、別のフィルターを配置するために回転させることができる。
【００７７】
球面体の表面にわたって分配置された複数の点から、予定の方法で対象物を照らして、各集合の光の状態のもとで、フィルター５により異なった波長で、画像を得ることによって、対象物、例えば顔の肌の範囲で、光の相互作用を考慮した局部的な現象を表示する情報を得ることができる。
【００７８】
従って測定は、メイクアップされるべき範囲のスペクトル反射率を決定するために、行われ得る。
【００７９】
また球面体に配置された対象物を、異なる波長で、連続的に照射することができ、その場合は色フィルターをカメラの前方に配置する必要がない。
【００８０】
また測定ユニットは、入射平面において反射される光の輝度を、照らされる表面と平行且つ、表面に対し垂直に偏光される入射角に関して、測定し、それによって上記のような粗さパラメータｍを計算する。
【００８１】
図１に戻ると、メイクアップ補助装置が、図４のブロック線図によって示された種々の機能を行うためプログラムされたマイクロコンピューター１０を具備している。
【００８２】
更に詳しくは、マイクロコンピューター１０が、イメージの収得を操作する計算、インターフェース手段１２を具備している。
【００８３】
これらの計算、インターフェース手段１２は、有利には出願人の会社の名で、フランス国特許96/06425に関するカメラを目盛較正するために、配置されている。
【００８４】
またマイクロコンピューター１０が、特に収得したイメージから顔の異なった点を認識し、且つここでは、しわの存在を適切に検知する計算方法を実行する、計算手段１３を有する。
【００８５】
形を認識させる計算手段は、よく知られており、例えば上記で引用した国際特許出願WO 96/21201または、ジュネーブ大学（1998）、MIRALabによる“Physically-based wrinkle simulation and skin rendering”というタイトルの文献を参照することができる。
【００８６】
またマイクロコンピューター１０は、種々の成分のＢＲＤＦを含んだデータベース１４と、メイクアップされる範囲上での化粧品ののりをモデル化することに関するデータベース１５を有している。
【００８７】
化粧品のＢＲＤＦは、肌上に広げる量に依存する。
【００８８】
データベース１４は、このことを考慮する。
【００８９】
またマイクロコンピューター１０は、メイクアップを決定する専門システム１６を有し、容姿に関する規定のデータベース１７の関数として与える。
【００９０】
一例として、ぬられる化粧品の色を、ユーザーによって与えられる、例えば肌のタイプ、目または髪の色に関するデータの関数及び（または）、対象物の特徴を考慮する収得ユニットから得られるデータの関数として、決定することができる。
【００９１】
またメイクアップ補助装置１は、スクリーン２０と、フォースフィードバックマウスから成る制御部材３０と、立体ディスプレイ装置４０と、プリンター５０を具備している。
【００９２】
フォースフィードバックマウス３０により、ユーザーが化粧品をぬるべき方法に関する情報を入力する。
【００９３】
従って、制御部材３０を操作して、ユーザーが、ペンシルと、それによって得られるマークによるメイクアップをシュミレートでき、マークは制御部材３０を押す力に依存して、より大きなまたは小さな範囲が着色される。
【００９４】
一例として、立体ディスプレイ装置４０は、示されているように、スクリーン上のイメージと同期して、制御部材４２により左眼と右目を別々に選択的に閉じられる、液晶シャッターを有する眼鏡を備えることができる。
【００９５】
補助装置１は以下の様に動作する。
【００９６】
ユーザーが球面体３に入り、プログラムが顔の形状と局部データの収得を開始する。
【００９７】
実行される測定をもとに、マイクロコンピューター１０が、ＢＲＤＦパラメータμａ（λ)、μｓ（λ）、ｇ、ｎ（λ）及びｍを、上記の方法で計算する。
【００９８】
化粧品及び（または）ケア製品が、ユーザーまたは専門システム１６によって選定され、、ぬられる厚さの関数として化粧品のＢＲＤＦパラメータに関連するデータは、データベース４に記憶されている。
【００９９】
マイクロコンピューター１０は、対象物のＢＲＤＦパラメータをもとに、ＢＲＤＦの結果を計算し、化粧品を顔にぬる方法、特に塗る厚さをモデル化するデータは、データベース１５から取り出され、そのデータは、適切に加えられるか、またはフォースフィードバックマウス３０を操作することにより得られる情報の関数として、変えることができる。
【０１００】
加えてメイクアップのために選定された色は、変えることができる。
【０１０１】
利点として、ユーザーは周囲の光の状態、例えば自然光では、散乱光であるか直接光か、そして人工光であれば、蛍光灯であるか白熱灯であるか特定する。
【０１０２】
結果的に、ＢＲＤＦパラメータが計算されると、実際にメイクアップされた顔のイメージが、スクリーン２０上に表示され、ユーザーが立体可視装置４０を使用して、立体的に見ることができる。
【０１０３】
スクリーン上で頭部を回転させて、実際にメイクアップした顔を見る方向を変えることができる。
【０１０４】
勿論、本発明は上記の実施例に限定されるものではない。
【０１０５】
メイクアップ補助装置を、マイクロコンピューター１０に接続された形成装置６０と関連させることができ、それによって例えば色つきのメイクアップを行うことができる。その様なメイクアップが蓄えとして利用できないと仮定すると、任意に指標的な効果を適用できる。
【０１０６】
このために、例えば米国特許第5 163 010号を参照できる。
【図面の簡単な説明】
【図１】本発明の実施例から成るメイクアップ補助装置の概略図
【図２】球面体と測定ユニットを示す部分切除した概略平面図
【図３】ＢＲＤＦの計算時に使用される様々な角度の相対位置
【図４】装置の様々な関数を示したブロック線図
【符号の説明】
１  装置
２  測定ユニット
３  球面体
４  カメラ
５  フィルター
６  開口部
７  光ファイバー
１０マイクロコンピューター（選択手段）
１２インターフェース手段（計算手段）
１３計算手段
１４データベース
１５データベース
１６専門システム
２０スクリーン（ディスプレイ）
３０制御部材（フィードバックマウス）
４０ディスプレイ（立体可視装置）
６０フォーミュレーション装置
【図１】
0003643763.tif 000002
【図２】
0003643763.tif 000003
【図３】
0003643763.tif 000004
【図４】
0003643763.tif 000005